(57)【特許請求の範囲】
【請求項１】
住宅情報盤（３１）並びに前記住宅情報盤に接続され通話、呼出、警報音発報などの機能をもつドアホン回路（１１）と、点検用外部試験を行なう中継器点検用外部試験器（２）が接続可能で、火災感知器（３）が接続され、かつ前記住宅情報盤に接続された中継器（１２）とを有するドアホン子機（ＡＱ31）を備え、
前記住宅情報盤並びに前記ドアホン子機の前記中継器および前記ドアホン回路の少なくともいずれか１つに電圧変換回路（３２、３３、３４）を有することを特徴とするドアホン装置。
【請求項２】
住宅情報盤（５１）並びに前記住宅情報盤に接続され通話、呼出、警報音発報などの機能をもつドアホン回路（１１）と、点検用外部試験を行なう中継器点検用外部試験器（２）が接続可能で、火災感知器（３）が接続され、かつ前記住宅情報盤に接続された中継器（１２）とを有するドアホン子機（ＡＱ51）を備え、
前記住宅情報盤および前記ドアホン子機は、それぞれ前記中継器の信号および前記ドアホン回路の信号をそれぞれ符号化、復号化し、時分割で伝送する符号化、復号化回路（６１、６２、７２、７３）、時分割回路（６３、７１）を有することを特徴とするドアホン装置。
【発明の詳細な説明】
【０００１】
【発明の属する技術分野】
本発明はドアホン装置に関し、特に火災感知器、住宅情報盤等の点検機能を有する中継器内蔵のドアホン装置に係わる。
【０００２】
【従来の技術】
従来から、この種のドアホン装置として、図４に示すものが提案されている。図４に示すドアホン装置は、夫々３〜４本の信号線からなる伝送路Ｌ81、Ｌ82を介して接続されているドアホン子機ＡＱ81、住宅情報盤８１と、中継器点検用外部試験器８２と、火災感知器８３とが設けられている。
【０００３】
ドアホン子機ＡＱ81は、通話、呼出、警報音発報等の機能を有し通電表示灯（図示せず）および警報表示灯（図示せず）内蔵のドアホン回路９１と、点検機能を有する中継器９２とが備えられている。
【０００４】
火災感知器８３は、火災が発生した際に火災を感知し、火災感知信号ｆ83を中継器９２へ送出するものであり、室内の天井に設置されている。
【０００５】
住宅情報盤８１は、前述の火災感知信号ｆ83を入力検知することにより、警報音の発報や表示灯を点灯させ、室内外に火災の発生を知らせるためのものであり、インターホン回路９３と、点検検知および火災感知機能を有する制御回路９４とが備えられている。
【０００６】
中継器９２の入力側は中継器点検用外部試験器８２、火災感知器８３の出力側が夫々接続されている。中継器９２の一方の出力側は伝送路Ｌ82を介して制御回路９４の入力側に接続されており、他方の出力側はドアホン回路９１に接続されている。また、制御回路９４の出力側はインターホン回路９３に接続されている。
【０００７】
更に、ドアホン回路９１とインターホン回路９３は、伝送路Ｌ81を介して接続されている。
【０００８】
尚、上述のドアホン回路９１、中継器９２はドアホン子機ＡＱ81の筐体内に設けられている。
【０００９】
このように構成されたドアホン装置において、待受（通常）時にドアホン回路９１は通電されていることから通電表示灯は点灯しており、ドアホン子機ＡＱ81のドアホン回路９１と３〜４本の信号線からなる伝送路Ｌ81を介して住宅情報盤８１のインターホン回路９３間で送受される通話、呼出、警報音発報等のドアホン回路信号ｆ81は双方向通信で伝送される。
【００１０】
点検外部試験時において、点検作業者がドアホン子機ＡＱ81の筐体内に設けられた中継器９２に中継器点検用外部試験器８２を接続コネクタ等を用いて接続することにより、中継器９２から点検開始信号ｆ82が送出される。この点検開始信号ｆ82がドアホン回路９１に入力されることにより通電表示灯の点灯パターンが変更されることから、点検作業者は中継器９２および火災感知器８３が待受状態から点検動作状態に移行したことを確認することができる。また、点検開始信号ｆ82は伝送路Ｌ82をなす３〜４本の信号線のいずれかを介して制御回路９４に入力される。制御回路９４は点検開始信号ｆ82を入力検知することにより、ドアホン回路９１の警報表示灯を点滅させるようなドアホン回路信号ｆ81である警報表示灯点滅駆動信号をインターホン回路９３より伝送路Ｌ81をなす３〜４本の信号線のいずれかを介して送出する。よって、前述のドアホン回路信号ｆ81である警報表示灯点滅駆動信号がドアホン回路９１に入力されることにより警報表示灯が点滅されることから、点検作業者は住宅情報盤８１が待受状態から点検動作状態に移行したことを確認することができる。
【００１１】
また、実際に火災が発生し火災感知器８３にて感知された際、中継器９２を介して送出される火災感知信号ｆ83は伝送路Ｌ82をなす３〜４本の信号線のうち、前述の点検開始信号ｆ82の伝送信号線とは異なる信号線を介して制御回路９４に入力される。制御回路９４は火災感知信号ｆ83を入力検知することにより、ドアホン回路９１の警報表示灯を点灯させるようなドアホン回路信号ｆ81である警報表示灯点灯駆動信号を上述の警報表示灯点滅駆動信号の伝送信号線とは異なる信号線を介してインターホン回路９２から送出する。よって、前述のドアホン回路信号ｆ81である警報表示灯点灯駆動信号がドアホン回路９１に入力されることにより警報表示灯が点灯される。
【００１２】
【発明が解決しようとする課題】
しかしながら、従来のドアホン装置は、ドアホン子機ＡＱ81と住宅情報盤８１とを接続する２線の伝送路Ｌ81、Ｌ82をなす信号線が６〜８本必要なことから、施工性が悪くなるばかりでなく、配線数の増加による誤配線の増加、断線故障の確率の増大などの難点があった。
【００１３】
また、機器を小型化するという市場の需要に対して、配線数が多いことに起因する端子台等の制約による寸法の限界があるなど、多くの難点があった。
【００１４】
本発明はこのような難点を解消するためになされたもので、ドアホン子機と住宅情報盤とを接続する信号線に２つ以上の信号を重畳させることにより、配線数の低減、施工性の向上、誤配線の防止、および機器の小型化が夫々可能なドアホン装置を提供することを目的とする。
【００１５】
【課題を解決するための手段】
このような目的を達成するため本発明のドアホン装置は、住宅情報盤並びに住宅情報盤に接続され通話、呼出、警報音発報などの機能をもつドアホン回路と、点検用外部試験を行なう中継器点検用外部試験器が接続可能で、火災感知器が接続され、かつ住宅情報盤に接続された中継器とを有するドアホン子機を備え、中継器の信号とドアホン回路の信号とを互いに異なる電圧値範囲に設定し、中継器の信号をドアホン回路の信号に重畳させて伝送するものである。
【００１６】
また、本発明のドアホン装置は、住宅情報盤並びに住宅情報盤に接続され通話、呼出、警報音発報などの機能をもつドアホン回路と、点検用外部試験を行なう中継器点検用外部試験器が接続可能で、火災感知器が接続され、かつ住宅情報盤に接続された中継器とを有するドアホン子機を備え、住宅情報盤並びにドアホン子機の中継器およびドアホン回路の少なくともいずれか１つに電圧変換回路を有するものである。
【００１７】
また、本発明のドアホン装置は、住宅情報盤並びに住宅情報盤に接続され通話、呼出、警報音発報などの機能をもつドアホン回路と、点検用外部試験を行なう中継器点検用外部試験器が接続可能で、火災感知器が接続され、かつ住宅情報盤に接続された中継器とを有するドアホン子機を備え、住宅情報盤およびドアホン子機は、それぞれ中継器の信号およびドアホン回路の信号をそれぞれ符号化、復号化し、時分割で伝送する符号化、復号化回路、時分割回路を有するものである。
【００１８】
このように構成されたドアホン装置において、信号線からなる伝送路により接続されたドアホン子機と住宅情報盤間で送受される通話、呼出、警報音発報等のドアホン回路の信号と、点検外部試験時および火災発生感知時に送出される中継器の信号とを、互いに異なる電圧値（範囲）に１つまたは複数の電圧変換回路を用いて設定し、中継器の信号をドアホン回路の信号に重畳させて伝送する。
【００１９】
また、ドアホン回路の信号と中継器の信号とを夫々符号化、復号化させて時分割で伝送させることにより、中継器の信号をドアホン回路の信号に重畳させて伝送する。
【００２０】
【発明の実施の形態】
以下、本発明のドアホン装置の一実施例について、図面を参照して説明する。
【００２１】
図１に示すドアホン装置は、アース線を含む２本の信号線からなる伝送路Ｌ1およびアース側が伝送路Ｌ1のアース線と共通な１本の伝送路Ｌ2を介して接続されているドアホン子機ＡＱ1、住宅情報盤１と、中継器点検用外部試験器２と、火災感知器３とが設けられている。
【００２２】
ドアホン子機ＡＱ1は、通話、呼出、警報音発報等の機能を有し通電表示灯（図示せず）および警報表示灯（図示せず）内蔵のドアホン回路１１と、点検機能を有する中継器１２と、過電圧保護回路１３とが備えられている。
【００２３】
火災感知器３は、実際に火災が発生した際に火災を感知し、火災感知信号ｆ3を中継器１２へ送出するものであり、室内の天井に設置されている。
【００２４】
住宅情報盤１は、前述の火災感知信号ｆ3を入力検知することにより、警報音の発報や表示灯を点灯させ、室内外に火災の発生を知らせるためのものであり、インターホン回路１５と、点検開始および火災感知を受信制御する制御回路１６と、過電圧保護回路１４とが備えられいる。
【００２５】
ドアホン回路１１は過電圧保護回路１３を介してドアホン子機側端子Ｔ1と、ドアホン子機側端子Ｔ3とに接続されている。また、中継器１２の入力側は中継器点検用外部試験器２、火災感知器３の出力側が夫々接続されている。更に、中継器１２の一方の出力側はドアホン子機側端子Ｔ1と過電圧保護回路１３間に接続されており、他方の出力側はドアホン回路１１に接続されている。
【００２６】
住宅情報盤１のインターホン回路１５は住宅情報盤側端子Ｔ4と、過電圧保護回路１４を介して住宅情報盤側端子Ｔ2とに夫々接続されている。制御回路１６の入力側は住宅情報盤側端子Ｔ2と過電圧保護回路１４の間に接続されており、制御回路１６の出力側はインターホン回路１５に接続されている。
【００２７】
また、ドアホン子機側端子Ｔ1と住宅情報盤側端子Ｔ2間は伝送路Ｌ1により、ドアホン子機側端子Ｔ3と住宅情報盤側端子Ｔ4間は伝送路Ｌ2により夫々接続されている。
【００２８】
尚、上述のドアホン回路１１、中継器１２、過電圧保護回路１３は、ドアホン子機ＡＱ1の筐体内に設けられている。
【００２９】
このように構成されたドアホン装置において、以下、その動作について説明する。
【００３０】
待受（通常）時においてドアホン回路１１は通電されていることから通電表示灯は点灯されており、ドアホン子機ＡＱ1のドアホン回路１１と伝送路Ｌ1を介した住宅情報盤１のインターホン回路１５間で送受されるドアホン回路信号ｆ1は双方向通信で伝送される。このドアホン回路信号ｆ1のうち、住宅情報盤１のインターホン回路１５より送出されるドアホン回路信号ｆ1は過電圧保護回路１４を介して、例えば、信号電圧値が０〜１２（Ｖ）の電圧値で送出され、住宅情報盤側端子Ｔ2→伝送路Ｌ1→ドアホン子機側端子Ｔ1→過電圧保護回路１３を介してドアホン回路１１に入力される。一方、ドアホン子機ＡＱ1のドアホン回路１１より送出されるドアホン回路信号ｆ1は、同じ電圧値で前述と逆の経路を介して伝送され、インターホン回路１５に入力される。
【００３１】
点検外部試験時において、点検作業者がドアホン子機ＡＱ1の筐体内に設けられた中継器１２に接続コネクタ等を用いて中継器点検用外部試験器２を接続することにより、中継器１２から点検開始信号ｆ2が送出される。この中継器１２より送出される点検開始信号ｆ2は、１５〜１８（Ｖ）の電圧値で送出される。この点検開始信号ｆ2がドアホン回路１１に入力されることにより通電表示灯の点灯パターンが変更されることから、点検作業者は中継器１２および火災感知器３が待受状態から点検作動状態に移行したことを確認することができる。また、点検開始信号ｆ2は、ドアホン子機側端子Ｔ1→伝送路Ｌ1→住宅情報盤側端子Ｔ2を介して制御回路１６に入力される。制御回路１６は点検開始信号ｆ2を入力検知することにより、インターホン回路１５からドアホン回路１１の警報表示灯を点滅させるようなHighレベル、Lowレベルを繰り返す警報表示灯点滅駆動信号ｆ4を伝送路Ｌ2を介して送出する。よって、警報表示灯点滅駆動信号ｆ4は、住宅情報盤側端子Ｔ4→伝送路Ｌ2→ドアホン子機側端子Ｔ3を介してドアホン回路１１に入力されることにより警報表示灯が点滅されることから、点検作業者は住宅情報盤１が待受状態から点検動作状態に移行したことを確認することができる。
【００３２】
また、実際に火災が発生し火災感知器３にて感知された際、中継器１２を介して火災感知信号ｆ3が送出される。中継器１２を介して送出される火災感知信号ｆ3は、２１〜２４（Ｖ）の電圧値で送出される。中継器１２を介して送出される火災感知信号ｆ3は、ドアホン子機側端子Ｔ1→伝送路Ｌ1→住宅情報盤側端子Ｔ2を介して制御回路１６に入力される。制御回路１６は火災感知信号ｆ3を入力検知することにより、インターホン回路１５からドアホン回路１１の警報表示灯を点灯させるようなHighレベルの信号である警報表示灯点灯駆動信号ｆ5を伝送路Ｌ2を介して送出する。よって、警報表示灯点灯駆動信号ｆ5は、住宅情報盤側端子Ｔ4→伝送路Ｌ2→ドアホン子機側端子Ｔ3を介してドアホン回路１１に入力されることにより警報表示灯が点灯される。
【００３３】
尚、点検開始信号ｆ2、火災感知信号ｆ3は、ドアホン回路信号ｆ1のインターフェースと衝突しないよう、かつ、各信号電圧が重複しないように高電圧で２本の信号線からなる伝送路Ｌ1に重畳されて伝送され、制御回路１６に入力される。
【００３４】
上述の説明では住宅情報盤１側の点検開始信号ｆ2および火災感知信号ｆ3の各信号電圧のインターフェースを、予めドアホン子機ＡＱ1のインターフェースと衝突しないように高電圧を使用するドアホン装置を示したが、本発明のドアホン装置の他の実施例として、ドアホン子機と住宅情報盤間で送受されるドアホン回路信号、中継器信号である点検開始信号および火災感知信号の各信号電圧を変換させるために、電圧変換回路を付加したドアホン装置を、以下、図面を参照して説明する。
【００３５】
図２に示すドアホン装置は、アース線を含む２本の信号線からなる伝送路Ｌ31およびアース側が伝送路Ｌ31のアース線と共通な１本の信号線からなる伝送路Ｌ32を介して接続されているドアホン子機ＡＱ31、住宅情報盤３１と、中継器点検用外部試験器２と、火災感知器３とが設けられている。
【００３６】
ドアホン子機ＡＱ31は、ドアホン回路１１と、中継器１２と、ドアホン回路１１と住宅情報盤３１のインターホン回路１５間で送受される通話、呼出、警報音発報等のドアホン回路信号ｆ31を電圧変換させて入出力する電圧変換回路３２と、中継器１２より送出される中継器信号である点検開始信号ｆ32と火災感知信号ｆ33とを夫々電圧変換させて送出する電圧変換回路３３とが備えられている。
【００３７】
住宅情報盤３１は、インターホン回路１５と、点検検知および火災感知を受信制御する制御回路１６と、ドアホン回路信号ｆ31、中継器信号である点検開始信号ｆ32および火災感知信号ｆ33を夫々電圧変換する電圧変換回路３４とが備えられいる。
ドアホン子機ＡＱ31のドアホン回路１１は電圧変換回路３２を介してドアホン子機側端子Ｔ31と、ドアホン子機側端子Ｔ33とに夫々接続されている。また、中継器１２の入力側は中継器点検用外部試験器２、火災感知器３の出力側が夫々接続されている。更に、中継器１２の一方の出力側は電圧変換回路３３を介してドアホン子機側端子Ｔ31と電圧変換回路３２間に接続されており、他方の出力側はドアホン回路１１に接続されている。
【００３８】
住宅情報盤３１のインターホン回路１５と制御回路１６の入力側は、電圧変換回路３４を介して住宅情報盤側端子Ｔ32に夫々接続されている。制御回路１６の出力側はインターホン回路１５に接続され、インターホン回路１５は住宅情報盤側端子Ｔ34に接続されている。
【００３９】
また、ドアホン子機側端子Ｔ31と住宅情報盤側端子Ｔ32間は伝送路Ｌ31により、ドアホン子機側端子Ｔ33と住宅情報盤側端子Ｔ34間は伝送路Ｌ32により夫々接続されている。
【００４０】
尚、上述のドアホン回路１１、中継器１２、電圧変換回路３２、３３はドアホン子機ＡＱ31の筐体内に設けられている。
【００４１】
このように構成された本発明のドアホン装置において、以下、その動作について説明する。
【００４２】
待受（通常）時においてドアホン回路１１は通電されていることから通電表示灯は点灯しており、ドアホン子機ＡＱ31のドアホン回路１１と伝送路Ｌ31を介した住宅情報盤３１のインターホン回路１５間で送受されるドアホン回路信号ｆ31は双方向通信で伝送される。このドアホン回路信号ｆ31のうち、住宅情報盤３１のインターホン回路１５より送出されるドアホン回路信号ｆ31の信号電圧は電圧変換回路３４を介して電圧変換されて送出され、住宅情報盤側端子Ｔ32→伝送路Ｌ31→ドアホン子機側端子Ｔ31を介して電圧変換回路３２にてもとの電圧に変換されてドアホン回路１１に入力される。一方、ドアホン子機ＡＱ31のドアホン回路１１より送出されるドアホン回路信号ｆ31は、前述と逆の経路を介して伝送され、電圧変換されてインターホン回路１５に入力される。
【００４３】
点検外部試験時において、点検作業者がドアホン子機ＡＱ31の筐体内に設けられた中継器１２に接続コネクタ等を用いて中継器点検用外部試験器２を接続することにより、中継器１２から点検開始信号ｆ32が送出される。この点検開始信号ｆ32がドアホン回路１１に入力されることにより通電表示灯の点灯パターンが変更されることから、点検作業者は中継器１２および火災感知器３が待受状態から点検動作状態に移行したことを確認することができる。また、点検開始信号ｆ32の信号電圧は、電圧変換回路３３を介して双方向通信されるドアホン回路信号ｆ31の信号電圧とは異なる電圧値範囲に電圧変換されて送出され、ドアホン子機側端子Ｔ31→伝送路Ｌ31→住宅情報盤側端子Ｔ32を介して電圧変換回路３４にてもとの電圧に変換されて制御回路１６に入力される。制御回路１６は点検開始信号ｆ32を入力検知することにより、インターホン回路１５からドアホン回路１１の警報表示灯を点滅させるようなHighレベル、Lowレベルを繰り返す警報表示灯点滅駆動信号ｆ34を伝送路Ｌ32を介して送出する。よって、警報表示灯点滅駆動信号ｆ34は、住宅情報盤側端子Ｔ34→伝送路Ｌ32→ドアホン子機側端子Ｔ33を介してドアホン回路１１に入力されることにより警報表示灯が点滅されることから、点検作業者は住宅情報盤３１が待受状態から点検動作状態に移行したことを確認することができる。
【００４４】
また、実際に火災が発生し火災感知器３にて感知された際、中継器１２を介して送出される火災感知信号ｆ33は、電圧変換回路３３を介して上述の各信号（ドアホン回路信号ｆ31、点検開始信号ｆ32）の各信号電圧とは異なる電圧値範囲に電圧変換されて送出され、ドアホン子機側端子Ｔ31→伝送路Ｌ31→住宅情報盤側端子Ｔ32を介して電圧変換回路３４にてもとの電圧に変換されて制御回路１６に入力される。制御回路１６は火災感知信号ｆ33を入力検知することにより、インターホン回路１５からドアホン回路１１の警報表示灯を点灯させるようなHighレベルの信号である警報表示灯点灯駆動信号ｆ35を伝送路Ｌ32を介して送出する。よって、警報表示灯点灯駆動信号ｆ35は、住宅情報盤側端子Ｔ34→伝送路Ｌ32→ドアホン子機側端子Ｔ33を介してドアホン回路１１に入力されることにより警報表示灯が点灯される。
【００４５】
すなわち、ドアホン子機ＡＱ31と住宅情報盤３１間で送受される複数の信号であるドアホン回路信号ｆ31、中継器信号である点検開始信号ｆ32および火災感知信号ｆ33の各信号電圧は、電圧変換回路３２、３３、３４を夫々介して相互に異なる電圧値範囲に電圧変換されることから、２本の信号線からなる伝送路Ｌ31を介して重畳されて伝送される。
【００４６】
更に、本発明の他の実施例として、ドアホン子機と住宅情報盤間で送受されるドアホン回路信号と、中継器信号である点検開始信号および火災感知信号とを、夫々符号化、復号化させ時分割で伝送するドアホン装置を、以下、図面を参照して説明する。
【００４７】
図３に示すドアホン装置は、２本の信号線からなる伝送路Ｌ51を介して接続されているドアホン子機ＡＱ51、住宅情報盤５１と、中継器点検用外部試験器２と、火災感知器３とが設けられている。
【００４８】
ドアホン子機ＡＱ51は、ドアホン回路１１と、中継器１２と、ドアホン回路１１と住宅情報盤５１のインターホン回路１５間で送受されるドアホン回路信号ｆ51を符号化、復号化して送出する信号符号化／復号化回路６１と、点検外部試験時および火災発生感知時に中継器１２より送出される中継器信号である点検開始信号ｆ52および火災感知信号ｆ53を夫々符号化して送出する信号符号化回路６２と、前述のドアホン回路信号ｆ51、中継器信号である点検開始信号ｆ52および火災感知信号ｆ53を多重・分離して送出する時分割回路６３とが備えられている。
【００４９】
住宅情報盤５１は、インターホン回路１５と、制御回路１６と、上述のドアホン回路信号ｆ51を符号化、復号化して送出する信号符号化／復号化回路７２と、中継器信号である点検開始信号ｆ52および火災感知信号ｆ53を夫々復号化して送出する信号復号化回路７３と、ドアホン回路信号ｆ51と中継器信号である点検開始信号ｆ52および火災感知信号ｆ53を多重・分離して送出する時分割回路７１とが備えられている。
【００５０】
ドアホン子機ＡＱ51のドアホン回路１１は信号符号化／復号化回路６１および時分割回路６３を介してドアホン子機側端子Ｔ51に接続されている。また、中継器１２の入力側は中継器点検用外部試験器２、火災感知器３の出力側が夫々接続されている。更に、中継器１２の一方の出力側は信号符号化回路６２および時分割回路６３を介してドアホン子機側端子Ｔ51に接続されており、他方の出力側はドアホン回路１１に接続されている。
【００５１】
住宅情報盤５１のインターホン回路１５は信号符号化／復号化回路７２および時分割回路７１を介して住宅情報盤側端子Ｔ52に接続されている。制御回路１６の入力側は信号復号化回路７３および時分割回路７１を介して住宅情報盤側端子Ｔ52に接続されており、出力側はインターホン回路１５に接続されている。
【００５２】
また、ドアホン子機側端子Ｔ51と住宅情報盤側端子Ｔ52間は、伝送路Ｌ51により接続されている。
【００５３】
尚、上述のドアホン回路１１、中継器１２、信号符号化／復号化回路６１、信号符号化回路６２、時分割回路６３は、ドアホン子機ＡＱ51の筐体内に設けられいる。
【００５４】
このように構成されたドアホン装置において、以下、その動作について説明する。
【００５５】
待受（通常）時においてドアホン回路１１は通電されていることから通電表示灯は点灯されており、ドアホン子機ＡＱ51のドアホン回路１１と伝送路Ｌ51を介した住宅情報盤５１のインターホン回路１５間で送受されるドアホン回路信号ｆ51は双方向通信で伝送される。このドアホン回路信号ｆ51のうち、住宅情報盤５１のインターホン回路１５より送出されるドアホン回路信号ｆ51は、信号符号化／復号化回路７２を介して符号化され、時分割回路７１→住宅情報盤側端子Ｔ52→伝送路Ｌ51→ドアホン子機側端子Ｔ51→時分割回路６３を介して信号符号化／復号化回路６１にて復号化されてドアホン回路１１に入力される。一方、ドアホン子機ＡＱ51のドアホン回路１１より送出されるドアホン回路信号ｆ51は、前述と逆の経路を介して伝送され、復号されてインターホン回路１５に入力される。
【００５６】
点検外部試験時において、点検作業者がドアホン子機ＡＱ51の筐体内に設けられた中継器１２に接続コネクタ等を用いて中継器点検用外部試験器２を接続することにより、中継器１２から点検開始信号ｆ52が送出される。この点検開始信号ｆ52がドアホン回路１１に入力されることにより通電表示灯の点灯パターンが変更されることから、点検作業者は中継器１２および火災感知器３が待受状態から点検動作状態に移行したことを確認することができる。また、点検開始信号ｆ52は信号符号化回路６２を介して符号化され、時分割回路６３→ドアホン子機側端子Ｔ5１→伝送路Ｌ51→住宅情報盤側端子Ｔ52→時分割回路７１を介して信号復号化回路７３にて復号化されて制御回路１６に入力される。制御回路１６は点検開始信号ｆ52を入力検知することにより、ドアホン回路１１の警報表示灯を点滅させる警報表示灯点滅駆動信号ｆ54をインターホン回路１５から送出する。よって、警報表示灯点滅駆動信号ｆ54が符号化され、時分割伝送されてドアホン回路１１に入力されることにより警報表示灯が点滅されることから、点検作業者は住宅情報盤５１が待受状態から点検動作状態に移行したことを確認することができる。
【００５７】
また、実際に火災が発生し火災感知器３にて感知された際、中継器１２を介して送出される火災感知信号ｆ53は、前述の点検開始信号ｆ52と同様に信号符号化回路６２を介して符号化され、時分割回路６３→ドアホン子機側端子Ｔ5１→伝送路Ｌ51→住宅情報盤側端子Ｔ52→時分割回路７１を介して信号復号化回路７３にて符号化されて制御回路１６に入力される。制御回路１６は火災感知信号ｆ52を入力検知することにより、ドアホン回路１１の警報表示灯を点灯させる警報表示灯点灯駆動信号ｆ55をインターホン回路１５から送出する。よって、警報表示灯点灯駆動信号ｆ55が符号化され時分割伝送されてドアホン回路１１に入力されることにより警報表示灯が点灯される。
【００５８】
すなわち、上述のドアホン回路信号ｆ51、警報表示灯点滅駆動信号ｆ54、警報表示灯点灯駆動信号ｆ55、中継器信号である点検開始信号ｆ52、火災感知信号ｆ53は、時分割回路６３、７１により相互にデータ衝突がないように調整・制御されることから、これらの信号は２本の信号線からなる伝送路Ｌ51を介して重畳されて伝送される。
【００５９】
【発明の効果】
以上の説明から明らかなように、本発明のドアホン装置によれば、ドアホン子機と住宅情報盤間で送受されるドアホン回路信号と、中継器信号である点検開始信号および火災感知信号とを共通線化したことから、配線数の低減、施工性の向上、誤配線の防止等が可能になる。更に、端子数の減少により、機器の小型化が可能になる。
【図面の簡単な説明】
【図１】本発明のドアホン装置の一実施例を示すブロック図。
【図２】本発明のドアホン装置の他の実施例を示すブロック図。
【図３】本発明のドアホン装置の他の実施例を示すブロック図。
【図４】従来のドアホン装置を示すブロック図。
【符号の説明】
ＡＱ1、ＡＱ31、ＡＱ51‥‥‥ドアホン子機
１１‥‥‥ドアホン回路
１２‥‥‥中継器
３１、５１‥‥‥住宅情報盤
２‥‥‥中継器点検用外部試験器
３‥‥‥火災感知器
【図１】
0003686506.tif 000002
【図２】
0003686506.tif 000003
【図３】
0003686506.tif 000004
【図４】
0003686506.tif 000005